(57)【要約】【課題】【解決手段】本発明に係る楽器は、演奏時に打たれるのとは反対の側面に単一の溶接された継ぎ目を有する体壁を有している。これを製造する方法によって、調和を連続させる振動面が非常に明晰な音を生じ、上音の良好なバランスを維持することが可能となる。更に、本発明に係る楽器を製造する際のコストの節減が図れる。また、本発明に係る楽器は丈夫である。
2004518170.tif 000002
【特許請求の範囲】
【請求項１】
体壁を具備し、この体壁は、これが音を作り出すように打たれ得る第１の面と、この第１の面に対向した、体壁内で唯一の継ぎ目である単一の閉じられた継ぎ目を有する第２の面とを有し、前記体壁は、開口端とこの開口端に対向した端壁とを有し、音響チャンバを規定しており、明晰な音を出し、打たれたときに上音の望ましいバランスを維持する楽器。
【請求項２】
前記継ぎ目は、前記第２の面の中心に位置されている請求項１の楽器。
【請求項３】
前記継ぎ目は、溶接された継ぎ目である請求項２の楽器。
【請求項４】
前記体壁は、第３の面と第４の面とを更に有する請求項１の楽器。
【請求項５】
前記第３の面と第４の面とは、互いに対向している請求項４の楽器。
【請求項６】
前記第３の面と第４の面とは、互いに対向し、第１並びに第２の面に実質的に直交している請求項４の楽器。
【請求項７】
前記体壁は、金属で形成されている請求項１の楽器。
【請求項８】
前記継ぎ目は溶接された継ぎ目である請求項１の楽器。
【請求項９】
カウベルである請求項１の楽器。
【請求項１０】
前記端壁は、体壁に溶接されている請求項１の楽器。
【請求項１１】
前記体壁は、金属、木材、プラスチック及びこれらの任意の組み合わせから成るグループより選択された材料でできている、請求項１の楽器。
【請求項１２】
２つの端縁縁と複数のセグメントとを有するブランクを、２つの端縁縁が互いに近づくように折り線によって折る工程と、
１つのみの継ぎ目を有する体壁を形成するように前記２つの端縁縁を接続する工程と、
閉塞端縁を規定するように前記端部セグメントを体壁に接続する工程とを具備し、
このように完成された楽器が、体壁を有し、この体壁は、これが音を作り出すように打たれ得る第１の面と、第１の面に対向した、体壁内の唯一の継ぎ目である単一の継ぎ目を有する第２の面とを有しており、明晰な音を出し、打たれたときに上音の望ましいバランスを維持する、楽器を製造する方法。
【請求項１３】
前記２つの端縁を接続する工程は、溶接によって果される請求項１２の方法。
【請求項１４】
前記２つの端縁を接続する工程は、鋲留めによって果される請求項１２の方法。
【請求項１５】
前記２つの端縁を接続する工程は、これら２つの端縁を、これら２つの端縁に沿った複数のポイントで鋲留めすることによって果される請求項１２の方法。
【請求項１６】
前記取付ける工程は、溶接によって果される請求項１２の方法。
【請求項１７】
前記体壁は、第３の面と第４の面とを更に有する請求項１２の方法。
【請求項１８】
前記第３の面と第４の面とは、互いに対向している請求項１７の方法。
【請求項１９】
前記第３の面と第４の面とは、互いに対向しており、第１並びに第２の面と実質的に直交している請求項１７の方法。
【請求項２０】
前記体壁は、金属で形成されている請求項１２の方法。
【発明の詳細な説明】
【０００１】
【発明の属する技術分野】
本発明は、一般に、楽器、特に、カウベルのような打楽器と、更に、このような打楽器を製造する方法とに関する。
【０００２】
【従来の技術】
カウベル及び同様の楽器は、典型的には、係合する側面に沿って互いに溶接された２つのセグメントを有するクラムシェルデザインに作られる。例えば、Ｓｔａｃｃａｔｏ Ｃｏｗｂｅｌｌに対して１９８２年１２月７日にＤｅＡｒｍａｓへ特許された米国特許４、３６２、０８０号がある。この特許は、音響チャンバが、必要に応じて、単一片の材料から作られたり、構造を容易にするために、チャンバの側面が半円形のセグメントから構成されたりすることが可能であることを、述べている。
【０００３】
【発明が解決しようとする課題】
従来の構造は、幾つかの欠点を有する。例えば、溶接された継ぎ目は、時間が経つと亀裂を生じる傾向がある。かくして、溶接部が少ないカウベルの方が、より耐久性がある。また、溶接は、比較的時間がかかり、高価な技術である。比較的溶接部が少ないカウベルは、より製造が安価である。
【０００４】
更に重要なのは、側面に沿った溶接部が、カウベル全体の音響に深刻な影響を及ぼすことである。例えば、タック溶接されたカウベルは、音の特徴が乾いたものになる。もう一方で、十分に溶接された継ぎ目を有するカウベルは、上音が豊かだが、明晰度に欠けた音を作り出す。
【０００５】
本発明の目的は、音質が改良されたカウベルもしくは他の同様の器具を提供することである。
【０００６】
本発明の更なる目的は、丈夫で製造が安価な楽器を提供することである。
【０００７】
本発明の更なる目的は、長手方向に単一の継ぎ目を有する体壁を有する楽器を提供することである。
【０００８】
本発明の更なる目的は、カウベル及び他の同様の器具を製造する方法を提供することである。
【０００９】
【課題を解決するための手段】
本発明のこれらの目的及び他の目的は、打ち鳴らされる即ち演奏される側面とは反対側の裏面に溶接された単一の継ぎ目を有する体壁を具備する、本発明に係る楽器によって果される。この楽器は、連続した調和を有して非常に明晰な音を作り出すが上音の良好なバランスを維持できる振動面を実現する。更に、本発明に係る楽器の製造では製造が安価である。本発明の楽器はまた、比較的丈夫である。
【００１０】
【発明の実施の形態】
図面、特に図２を参照すると、全体が参照符号１で示された、本発明に係る楽器が提供されている。示されているように、楽器１はカウベルである。しかしながら、本発明は、説明されるような特徴を有する打楽器を提供する。
【００１１】
図１を参照すると、従来のカウベル１００が、これの閉端でポスト１１０に取着されている。このカウベルは、基本的に４つの側面から成る構造を成すように折ることのできる材料でできた２つのピース１０４、１０６である。これら２つのピースは、２つの継ぎ目線１２０に沿って互いに取着されている。これら継ぎ目線は、カウベルの短い側面に沿って位置されている。
【００１２】
本発明に係る楽器１は、図２、３に示されている。楽器１は、開口端１２と好ましくはこの開口端に対向した端壁１８とを有する体壁１０を具備する。端壁１８は、体壁１０と一体的に形成され得るが、あるいは、これとは別に形成されたピースであってもよく、この場合は、体壁１０に取着並びに／もしくは溶接される。
【００１３】
特に端壁１８を有する体壁１０は、音響チャンバ１１を規定する。体壁１０は、いくつかの壁セグメントを有する。各々に隣接する対になった２つのセグメントは、折り目（ｓｅａｍ）即ち折り線によって互いに接続されている。これら壁セグメントの数は、好ましくは等しい。また好ましくは、体壁１０は、少なくとも４つの壁セグメント１３乃至１６を有する。各壁セグメント１３乃至１６は、好ましくは、台形の形状である。更に、対向する側セグメント１４及び１５が、上セグメント１３及び対向した底セグメント１６よりも小さな領域を有することが好ましい。また、セグメント１３と１６とは、セグメント１４及び１５と同様に、同じ形状即ち構成を有することが好ましい。
【００１４】
従って、楽器１は、好ましくは、概ね矩形の断面形状と、端部のセグメント１８から開口端１２へ向かって徐々に大きさを増す断面領域とを有する。
【００１５】
本発明に係れば、楽器１は、体壁１０内に底セグメント１６に沿って単一の継ぎ目３０を有する。この継ぎ目３０は、好ましくは、セグメント１６の中心に沿って位置されている。また、継ぎ目３０は、適当な技術を利用してシールされ得る。好ましくは、体壁１０が金属で形成されるときには、継ぎ目３０は溶接される。あるいは、継ぎ目３０は、楽器１に望まれる音と美しさとに応じて、全長に沿って複数のポイントで鋲留め（ｔａｃｋ）されるか、全長にわたって完全にシールされ得る。
【００１６】
上述されたように底セグメントに沿った単一継ぎ目を有する楽器は、図１の従来技術に示されているように側面に沿って２つ以上の継ぎ目を有するような楽器と比較して音質を改良し得ることが分かっている。特に、本発明によって提供されているような、底壁の中心線に沿って単一の溶接された継ぎ目を有するカウベルは、連続した調和を有する振動面を可能にすることができる。この振動面は、非常に明晰な音を作り出し、その上、上音の望ましいバランスを維持するものである。これは、継ぎ目が溶接されている場合に特に実現される。本発明に係る楽器が、従来のデザインより自由な方法で振動することが確信される。更に、本発明に係る楽器１は、側面に沿って２つ以上の継ぎ目を有する同様の楽器と比較して経済的であり、その上、丈夫である。
【００１７】
任意で、音響チャンバ１１は、複数のセグメント（示されず）に分割されてもよい。また、任意で、楽器１は、楽器をスタンド、ハンドル、もしくは同様の装置に取着するための接続部材（示されず）を有してもよい。
【００１８】
楽器１の様々の部品は、任意の適当な材料を用いて形成され得る。楽器１は、演奏時に変形しないような適当な堅い材料で形成される。しかし、もう一方では、楽器１を形成するために使用される材料は、楽器１として成形されうるように、予測される環境において打ち延ばし可能にもしくは成形しやすくなるものでなくてはならない。楽器１を形成するために有用な材料には、例えば、金属、木、プラスチック、もしくはこれらを任意に組み合わせたものが含まれる。体壁１０は、より好ましくは、真鍮のような金属、鋼、並びに／もしくはアルミニウムで形成される。
【００１９】
図３を参照すると、楽器１は、単一ブランク２０から形成されている。このブランク２０は、５つの隣接したセグメント１３’乃至１５’、１６ａ’及び１６ｂ’を有する。これら５つのセグメントは、４つの境界線２５乃至２８によって夫々区切られている。境界線２５乃至２８は、体壁１０を形成するように折られる。ブランク２０が境界線２５乃至２８に沿って折られると、中央のセグメント１３’が上壁１３になる。セグメント１４’、１５’は、対向する側壁１４、１５となる。底壁１６を形成するために、セグメント１６ａ’、１６ｂ’の各々の端縁２２、２４は、互いに近くなるように位置され（例えば並ぶか重なるように）、好ましくは溶接によって互いに取着される。後方セグメント１８’は、ブランク２０を形成するように境界線２９で一体的に接続され得る。この場合、境界線２９は、後方セグメント１８’が後壁１８となるように折られる。代わりの実施形態では、後方セグメント１８’が、端縁２２、２４が互いに取着された後に後壁１８を形成するように体壁１０に個別に取着されることもできる。
【００２０】
楽器１は、体壁１０のセグメントを打ち鳴らすことによって演奏される。楽器１を演奏するために、より好ましくは上セグメント１３、あまり好ましくないがセグメント１４、１５が打たれる。
【００２１】
前述された説明は、カウベルのような、４つの側面から成るベルの形状を有する楽器についてである。しかしながら、本発明に係る楽器は、３つのみの側面もしくは３つ以上の側面を有してもよい。しかしながら、楽器１は、偶数の側面即ち面を有することが好ましい。更に、楽器１の折られたセグメントの曲げ径と辺角度とは、望ましい全体的な形状及びサイズに応じる。
【００２２】
本発明は特定の好ましい形状を参照しながら説明されているが、様々の改良及び変形が本発明の範囲を逸脱することなく成され得ることが明らかであろう。
【図面の簡単な説明】
【図１】従来技術のカウベルである。
【図２】本発明に係る楽器である。
【図３】図２の楽器を形成するように折られるブランクである。
【図１】
2004518170.tif 000003
【図２】
2004518170.tif 000004
【図３】
2004518170.tif 000005
【国際公開パンフレット】
2004518170.tif 000006
2004518170.tif 000007
2004518170.tif 000008
2004518170.tif 000009
2004518170.tif 000010
2004518170.tif 000011
2004518170.tif 000012
2004518170.tif 000013
2004518170.tif 000014
2004518170.tif 000015
2004518170.tif 000016
2004518170.tif 000017
【国際調査報告】
2004518170.tif 000018